(57)【要約】【課題】  エナメル線をボビンに巻くときに図面を見る必要がなくてエナメル線の前後方向が容易に解ると共に、エナメル線をスタート側のピンからボビンに巻く経路とボビンからフィニッシュ側のピンへの経路の方向を簡単に解り、ボビンに巻かれるエナメル線のスタートとフィニッシュの間違いを確実に防止できて、セットが破壊することを回避できる。【解決手段】  トランス２１のスタート側のピン２２から溝形の経路２３を経てボビン２４にエナメル線２０を巻付けた後にボビンから溝形の経路２５を経てフィニッシュ側のピン２６に取り付けるようにし、エナメル線には前後方向を示す前後異なる色２０ａ、２０ｂが複数箇所着色され、スタート側のピンからボビンへとエナメル線が通される溝形の経路はスタートのピン側が広くボビン側が狭く形成され、ボビンからフィニッシュ側のピンへとエナメル線が通される溝形の経路はボビン側が広くフィニッシュのピン側が狭くなる。【選択図】  図１
2009117660.tif 000002
【特許請求の範囲】
【請求項１】
トランスの下部のスタート側のピンから溝形の経路を経てボビンにエナメル線を巻付けた後にこのエナメル線を前記ボビンから別の溝形の経路を経てフィニッシュ側のピンに取り付けるようにしたトランスの巻線構造において、前記エナメル線には前後方向を示すための前後異なる色が複数箇所着色され、スタート側のピンから前記ボビンへと前記エナメル線が通される前記溝形の経路は、スタートのピン側が広くボビン側が狭くなるように形成され、前記ボビンからフィニッシュ側のピンへと前記エナメル線が通される前記溝形の経路は、前記ボビン側が広くフィニッシュのピン側が狭くなるように形成されていることを特徴とするトランスの巻線構造。
【請求項２】
前記スタートのピン側の溝形の経路には前記エナメル線に着色された前後異なる色と同様の前後異なる色が着色され、前記フィニッシュのピン側の溝形の経路にも前記エナメル線に着色された前後異なる色と同様の前後異なる色が着色されている請求項１に記載のトランスの巻線構造。
【請求項３】
前記各溝形の経路には、カバーが設けられている請求項１又は２に記載のトランスの巻線構造。
【発明の詳細な説明】
【技術分野】
【０００１】
本発明は、トランスの下部のスタート側のピンから溝形の経路を経てボビンにエナメル線を巻付けた後にこのエナメル線を前記ボビンから別の溝形の経路を経てフィニッシュ側のピンに取り付けるようにしたトランスの巻線構造に関するものである。
【背景技術】
【０００２】
一般に、トランスの巻線のスタートとフィニッシュの間違いがあると、このトランスを実機実装すれば、電圧異常となり、セットが破壊する可能性があるという問題があった。
【０００３】
第１の従来技術を図５（ａ）（ｂ）に示す。この従来の絶縁被覆導線の方向表示構造は、図５（ａ）（ｂ）に示すように、コアに対して巻付けられる複数本の絶縁被覆導線１０５を備えたトランスにおいて、上記各絶縁被覆導線１０５の外表面に軸方向一方を示す方向表示部１０６を設けることにより、この絶縁被覆導線１０５の巻き方向と、巻付け開始端部及び巻付け終了端部を明示する様にした。（例えば、特許文献１参照）。
【０００４】
ところが、これにおいては、コアに絶縁被覆導線１０５の巻線方向を設けていないので、絶縁被覆導線１０５を巻く前に図面を見ないと解らないという問題があった。
【特許文献１】特開平８−３０６５５０号公報
【発明の開示】
【発明が解決しようとする課題】
【０００５】
本発明は、上記従来の問題に鑑みてなされたものであって、エナメル線をボビンに巻くときに図面を見る必要がなくてエナメル線の前後方向が容易に解ると共に、エナメル線をスタート側のピンからボビンに巻く経路とボビンからフィニッシュ側のピンへの経路の方向を簡単に解ることができ、トランスのボビンに巻かれるエナメル線のスタートとフィニッシュの間違いを確実に防止することができて、セットが破壊することを回避することができるトランスの巻線構造を提供することを目的としている。
【課題を解決するための手段】
【０００６】
本発明は、上記課題を解決するために提案されたものであって、請求項１に記載の発明は、トランスの下部のスタート側のピンから溝形の経路を経てボビンにエナメル線を巻付けた後にこのエナメル線を前記ボビンから別の溝形の経路を経てフィニッシュ側のピンに取り付けるようにしたトランスの巻線構造において、前記エナメル線には前後方向を示すための前後異なる色が複数箇所着色され、スタート側のピンから前記ボビンへと前記エナメル線が通される前記溝形の経路は、スタートのピン側が広くボビン側が狭くなるように形成され、前記ボビンからフィニッシュ側のピンへと前記エナメル線が通される前記溝形の経路は、前記ボビン側が広くフィニッシュのピン側が狭くなるように形成されていることを特徴としている。
【０００７】
請求項２に記載の発明は、請求項１に記載の発明において、前記スタートのピン側の溝形の経路には前記エナメル線に着色された前後異なる色と同様の前後異なる色が着色され、前記フィニッシュのピン側の溝形の経路にも前記エナメル線に着色された前後異なる色と同様の前後異なる色が着色されている。
【０００８】
請求項３に記載の発明は、請求項１又は２に記載の発明において、前記各溝形の経路には、カバーが設けられている。
【発明の効果】
【０００９】
請求項１に記載の発明によれば、エナメル線に前後方向を示すための前後異なる色が複数箇所着色されているから、エナメル線の前後方向が容易に解る。更に、スタート側のピンからボビンへとエナメル線が通される溝形の経路は、スタート側のピン側が広くボビン側が狭くなるように形成され、ボビンからフィニッシュ側のピンへとエナメル線が通される溝形の経路は、ボビン側が広くフィニッシュ側のピン側が狭くなるように形成されているから、エナメル線をスタート側のピンからボビンに巻く溝形の経路とボビンからフィニッシュ側のピンへの溝形の経路の方向を、図面を見ることなく簡単に解ることができる。従って、トランスのボビンに巻かれるエナメル線のスタートとフィニッシュの間違いを確実に防止することができて、セットが破壊することを回避することができる。
【００１０】
請求項２に記載の発明によれば、スタート側のピン側の溝形の経路にはエナメル線に着色された前後異なる色と同様の前後異なる色が着色され、フィニッシュ側のピン側の溝形の経路にもエナメル線に着色された前後異なる色と同様の前後異なる色が着色されているから、エナメル線をスタート側のピンからボビンに巻く経路とボビンからフィニッシュ側のピンへの経路の方向をより一層簡単に解ることができる。また、スタート側のピンから溝形の経路を通るエナメル線の向きとこの溝形の経路とが合っているがどうかを簡単に確認することができると共に、ボビンから溝形の経路を通ってフィニッシュ側のピンまで通るエナメル線の向きとこの溝形の経路が合っているかどうかを簡単に確認することができる。
【００１１】
請求項３に記載の発明によれば、各溝形の経路にカバーが設けられているから、各溝側の経路からエナメル線が外れることを防止できると共に、カバーに覆われたエナメル線を保護することができる。
【発明を実施するための最良の形態】
【００１２】
以下、本発明に係るトランスの巻線構造の実施の形態について、図を参照しつつ説明する。
【００１３】
図１は本発明の第１実施形態のトランスの巻線構造を示し、（ａ）はその巻線であるエナメル線を示す正面図、（ｂ）はそのトランスを示す正面図、図２（ａ）はスタート側のピンからボビンにエナメル線が巻かれてフィニッシュ側のピンにエナメル線が取り付けられる状態を示す説明図、（ｂ）はトランスの概略底面図である。
【００１４】
この第１実施形態のトランスの巻線構造は、図１（ａ）に示すように、エナメル線２０に、前後方向を示す赤色２０ａと青色２０ｂの異なる色が着色されている。また、図１（ｂ）に示すように、トランス２１の下部のスタート側のピン２２からスタート側の溝形の経路２３を経てボビン２４にエナメル線２０が巻付けられた後にこのエナメル線２０をボビン２４からフィニッシュ側の溝形の溝２５を経てフィニッシュ側のピン２６を取り付けるようになっている。スタート側のピン２２からボビン２４へとエナメル線２０が通されるスタート側の溝形の経路２３は、スタート側のピン２２側が広くボビン２４側が狭くなるように形成されている。また、ボビン２４からフィニッシュ側のピン２６へとエナメル線２０が通されるフィニッシュ側の溝形の経路２５は、ボビン２４側が広くフィニッシュ側のピン２６側が狭くなるように形成されている。
【００１５】
図２（ａ）（ｂ）について説明すると、黒点２７が記された部分がスタート側であり、無い部分がフィニッシュ側である。ＮＯ２のスタート側のピン２２からスタート側の溝形の経路２３を経てボビン２４に巻かれたエナメル線２０はボビン２４からフィニッシュ側の溝形の経路２５を経てＮＯ４のフィニッシュ側のピン２６に取り付けられるようになっている。以下、ＮＯ６、ＮＯ９、ＮＯ１３、ＮＯ１６がスタート側のピン２２であり、ＮＯ７、ＮＯ１０、ＮＯ１１、ＮＯ１２、ＮＯ１４、ＮＯ１５のピンがフィニッシュ側のピン２６である。
【００１６】
従って、この第１実施形態によれば、エナメル線２０に前後方向を示すための前後異なる赤色２０ａと青色２０ｂが複数箇所着色されているから、エナメル線２０の前後方向が容易に解る。更に、スタート側のピン２２からボビン２４へとエナメル線２０が通されるスタート側の溝形の経路２３は、スタート側のピン２２側が広くボビン２４側が狭くなるように形成され、ボビン２４からフィニッシュ側のピン２６へとエナメル線２０が通されるフィニッシュ側の溝形の経路２５は、ボビン２４側が広くフィニッシュ側のピン２６側が狭くなるように形成されているから、エナメル線２０をスタート側のピン２２からボビン２４に巻くスタート側の溝形の経路２３とボビン２４からフィニッシュ側のピン２６へのフィニッシュ側の溝形の経路２５の方向を、図面を見ることなく簡単に解ることができる。従って、トランス２１のボビン２４に巻かれるエナメル線２０のスタートとフィニッシュの間違いを確実に防止することができて、セットが破壊することを回避することができる。
【００１７】
図３は第２実施形態のトランスの巻線構造を示すトランスの正面図である。尚、上記した第１実施形態と同一部材、同一箇所には同一符号を付して、その説明を省略する。
【００１８】
この第２実施形態のトランスの巻線構造は、図３に示すように、スタート側の溝形の経路２３には、エナメル線２０（図１参照）に着色された赤色と青色の前後異なる色と同様の赤色２３ａと青色２３ｂの前後異なる色が着色され、フィニッシュ側の溝形の経路２５にもエナメル線２０（図１参照）に着色された赤色と青色の前後異なる色と同様の赤色２５ａと青色２５ｂの前後異なる色が着色されている。
【００１９】
従って、この第２実施形態によれば、スタート側の溝形の経路２３にはエナメル線２０（図１参照）に着色された前後異なる赤色と青色同様の前後異なる赤色２３ａと青色２３ｂが着色され、フィニッシュ側の溝形の経路２５にもエナメル線２０（図示１参照）に着色された前後異なる赤色と青色と同様の前後異なる赤色２５ａと青色２５ｂが着色されているから、エナメル線２０（図１参照）をスタート側のピン２２からボビン２４に巻くスタート側の溝形の経路２３とボビン２４からフィニッシュ側のピン２６へのフィニッシュ側の溝形の経路２５の方向をより一層簡単に解ることができる。また、スタート側のピン２２からスタート側の溝形の経路２３を通るエナメル線２０（図１参照）の向きとこのスタート側の溝形の経路２３とが合っているがどうかを簡単に確認することができると共に、ボビン２４からフィニッシュ側の溝形の経路２５を通ってフィニッシュ側のピン２６まで通るエナメル線２０の向きとこのフィニッシュ側の溝形の経路２５が合っているかどうかを簡単に確認することができる。
【００２０】
図４は第３実施形態のトランスの巻線構造を示すトランスの正面図である。尚、上記した第１実施形態と同一部材、同一箇所には同一符号を付して、その説明を省略する。
【００２１】
この第３実施形態のトランスの巻線構造は、図４に示すように、スタート側の溝形の経路２３とフィニッシュ側の溝形の経路２５にカバー２８が設けられている。従って、この第３実施形態によれば、各溝形の経路２３、２５にカバー２８が設けられているから、各溝側の経路２３、２５からエナメル線２０が外れることを防止できると共に、カバー２８に覆われたエナメル線２０を保護することができる。
【００２２】
尚、上記実施形態で説明した前後方向を示す着色は、赤色と青色に限らず、他の異なる色でもよいことは勿論である。
【図面の簡単な説明】
【００２３】
【図１】本発明の第１実施形態のトランスの巻線構造を示し、（ａ）はその巻線であるエナメル線を示す正面図、（ｂ）はそのトランスを示す正面図である。
【図２】（ａ）はスタート側のピンからボビンにエナメル線が巻かれてフィニッシュ側のピンにエナメル線が取り付けられる状態を示す説明図、（ｂ）はトランスの概略底面図である。
【図３】第２実施形態のトランスの巻線構造を示すトランスの正面図である。
【図４】第３実施形態のトランスの巻線構造を示すトランスの正面図である。
【図５】従来の絶縁被覆導線の方向表示構造を示し、（ａ）はその絶縁被覆導線の正面図、（ｂ）はその絶縁被覆導線を用いたコイルの部分正面図である。
【符号の説明】
【００２４】
２０        エナメル線
２０ａ      赤色
２０ｂ      青色
２１        トランス
２２        スタート側のピン
２３        スタート側の溝形の経路
２３ａ      赤色
２３ｂ      青色
２４        ボビン
２５        フィニッシュ側の溝形の経路
２５ａ      赤色
２５ｂ      青色
２６        フィニッシュ側のピン
２７        黒点
２８        カバー
【図１】
2009117660.tif 000003
【図２】
2009117660.tif 000004
【図３】
2009117660.tif 000005
【図４】
2009117660.tif 000006
【図５】
2009117660.tif 000007